(57)【要約】    【課題】      ユーザの状態を検出し、検出した結果に応じて動作状態を設定する設定情報を変更する通信中継装置を提供すること。    【解決手段】  設定情報格納部１４０は、動作状態を設定する設定情報を格納し、装置制御部１３０は、ユーザの所在を示す所在情報を受信し、受信した所在情報に基づいて、前記設定情報を書き換える。さらに、異なる複数の設定情報を記憶する設定情報データベース１２０を備え、前記装置制御部１３０は、前記所在情報を用いて、前記複数の設定情報から一つの設定情報を選択し、選択した設定情報を前記設定情報格納部１４０へ書き込む。  【選択図】      図１
2006050103.tif 000002
【特許請求の範囲】
【請求項１】
装置の動作状態を設定する設定情報を格納する設定情報格納手段と、
ユーザの所在を示す所在情報を受信し、受信した所在情報に基づいて、前記設定情報を書き換える装置制御手段と、
を備えることを特徴とする通信中継装置。
【請求項２】
前記設定情報は、受信したデータの振り分け先を設定する設定情報を含むことを特徴とする請求項１記載の通信中継装置。
【請求項３】
前記設定情報は、受信したデータの通過の可否を設定する設定情報を含むことを特徴とする請求項１記載の通信中継装置。
【請求項４】
異なる複数の設定情報を記憶する設定情報データベースを、更に備え、
前記装置制御手段は、前記所在情報を用いて、前記複数の設定情報から一つの設定情報を選択し、選択した設定情報を前記設定情報格納手段へ書き込むことを特徴とする請求項１から請求項３いずれかに記載の通信中継装置。
【請求項５】
前記設定情報データベースは、所在情報と対応づけて前記複数の設定情報を格納し、
前記装置制御手段は、過去の所在情報を保持し、前記受信した所在情報が前記過去の所在情報から変化したことを検出し、前記受信した所在情報に対応づけられる設定情報を前記設定情報格納手段へ書き込むことを特徴とする請求項４記載の通信中継装置。
【請求項６】
複数のユーザの所在を格納する所在情報データベースを、更に備え、
前記設定情報データベースは、複数のユーザそれぞれの所在情報の組み合わせと対応づけて前記複数の設定情報を格納し、
前記装置制御手段は、前記所在情報と前記所在情報を通知したユーザ情報とを受信し、前記所在情報、前記ユーザ情報及び前記所在情報の組み合わせから、前記複数の設定情報から一つの設定情報を選択し、選択した設定情報を前記設定情報格納手段へ書き込むことを特徴とする請求項４記載の通信中継装置。
【請求項７】
前記ユーザの所在位置を検知するセンサを、更に備え、
前記装置制御手段は、前記センサが検知するユーザの所在位置を解析することによって、所在情報の変化を検出することを特徴とする請求項５記載の通信中継装置。
【請求項８】
位置情報を取得する位置情報取得手段と、
複数のエリアを特定するエリア情報と、位置情報とを対応づけるエリア定義を記憶するエリア定義記憶手段と、
過去のエリア情報を格納するエリア情報格納手段と、
前記エリア定義を用いて、取得した位置情報をエリア情報と対応づけて現在のエリア情報とし、現在のエリア情報が前記過去のエリア情報と異なることを検出する判断手段と、
前記現在のエリア情報によって動作状態を変更する通信中継装置へ前記現在のエリア情報を送信する送信手段と、
を備えることを特徴とする通信端末。
【発明の詳細な説明】
【技術分野】
【０００１】
本発明は、動作状態を設定する設定情報を変更する通信中継装置、特に、ユーザの位置情報に基づいて設定情報を変更する通信中継装置に関する。
【背景技術】
【０００２】
近年、家庭・個人向けのインターネット接続サービスは料金低下が急速に進み、ＡＤＳＬ（Asymmetric Digital Subscriber Line）やＦＴＴＨ（Fiber To The Home）などの常時接続・広帯域サービスを利用するユーザが増加してきている。一方、常時接続・広帯域サービスによる弊害として、トラヒックの増大・不正アクセスの増加などが問題となり、セキュリティや通信品質の確保が重要視されるようになった。このため、パケットフィルタリング機能やＱｏＳ制御機能を持つゲートウェイ装置を介してインターネットに接続するユーザが増加してきている。
【０００３】
従来、上記のような機能を持つゲートウェイ装置を使用するためには、ゲートウェイ装置に対してフィルタリング設定やＱｏＳ設定をする必要がある。設定方法としては、ユーザがＷｅｂコンソールを使用して設定する方法、もしくは、所望の設定をダウンロードする方法などが挙げられる。
【０００４】
図２４は、従来のＷｅｂコンソールを使用した設定情報を設定する設定方法におけるネットワーク構成の一例を示す図である。ユーザは設定用端末９１１でＷｅｂブラウザを使用して、ＨＴＴＰ（HyperText Transfer Protocol）でゲートウェイ装置９０１にアクセスする。ゲートウェイ装置９０１はＷｅｂサーバを備えており、設定用端末９１１に対して所定の設定用Ｗｅｂページを表示させる。ユーザは設定用Ｗｅｂページを使ってゲートウェイ装置９０１の設定をする。しかし近年のゲートウェイ装置９０１は多機能化が進み、設定項目が非常に多くなっている。このため設定時のユーザにかかる負担は非常に大きい。
【０００５】
また、所望の設定をダウンロードする方法としては、例えば、特許文献１に示されているように、ユーザがフィルタリング設定情報サーバにアクセスし、所定のフィルタリング設定情報をダウンロードしてゲートウェイ装置に設定する方法がある。
【０００６】
図２５は、従来のフィルタリング設定情報をダウンロードする方法について示す図である。ユーザは設定用端末９１２を使用してフィルタリング設定情報サーバ９２２にアクセスし、所望のフィルタリング設定情報をダウンロードし、ゲートウェイ装置９０２のフィルタリング設定を更新する。
【特許文献１】特開２００２−２８１０９３号公報
【発明の開示】
【発明が解決しようとする課題】
【０００７】
このようにゲートウェイ装置へ設定情報を設定する設定方法はいくつかの提案がなされている。しかし、従来の設定方法はいずれの場合も予め用意された設定情報そのものあるいは簡易な変更ができるだけの半固定設定であり、ユーザの要望を採用して設定を変更するのは容易でない。また、ユーザが高いセキュリティレベル、もしくは、所望の通信品質を得るためには、ユーザの状態（在宅・出勤など）によって設定を変更する必要があると考えられる。
【０００８】
例えば、ユーザが外出先から宅内機器にアクセスするためには、ゲートウェイ装置の適当なポートに外部からのアクセスを許可するフィルタリング設定をする必要がある。一方、ユーザが外部から宅内機器にアクセスするのは外出時のみであり、在宅時には外部からのアクセスを許可する必要はない。したがって、常に外部からのアクセスを許可していると不正アクセスの危険性が高まるため、ユーザ在宅時には外部からのアクセスを全て拒否するようなフィルタリング設定が適切と考えられる。
【０００９】
また、ユーザがリアルタイム動画配信サービスを受けるときには、動画パケットの遅延が小さくなるようにパケットのＱｏＳ優先度を高く設定することが想定される。しかし実際にＱｏＳ優先度を高くする必要があるのは、配信された動画を閲覧するときのみである。したがって動画を閲覧しないときは他のパケットへの影響を考慮して、動画パケットのＱｏＳ優先度は低く設定するほうが適切だと考えられる。
【００１０】
このように、ゲートウェイ装置の設定はユーザの状態に応じて、変更するほうが望ましい。しかしながら、従来のゲートウェイ装置において、上記のようにゲートウェイ装置の設定を変更するためには、ユーザが何度も設定用端末を操作してゲートウェイ装置の設定を変更する必要があり、ユーザの負担を考えると現実的でない。
【００１１】
本発明は、かかる点に鑑みてなされたものであり、ユーザの状態を検出し、検出した結果に応じて装置の動作状態を設定する設定情報を変更する通信中継装置を提供することを目的とする。
【課題を解決するための手段】
【００１２】
本発明の通信中継装置は、装置の動作状態を設定する設定情報を格納する設定情報格納手段と、ユーザの所在を示す所在情報を受信し、受信した所在情報に基づいて、前記設定情報を書き換える装置制御手段と、を備える構成を採る。
【発明の効果】
【００１３】
本発明によれば、ユーザの状態を検出し、検出した結果に応じて装置の動作状態を設定する設定情報を変更する通信中継装置を実現することができる。
【発明を実施するための最良の形態】
【００１４】
以下、本発明の実施の形態について、図面を参照して詳細に説明する。通信中継装置の一例として、ゲートウェイ装置を用いて説明する。しかしながら、通信中継装置は、ゲートウェイ装置に限られることなく、ルータその他の装置であってもよい。また、この明細書では、所在情報は、ユーザの所在を示す情報であり、所在情報には、位置情報、エリア情報、ユーザの状態等が含まれる。位置情報は、緯度・経度で表される情報を想定する。エリア情報は、所定のエリア（領域）を示す。エリア情報は、位置情報から一意に決まるものとする。ユーザの状態は、在宅（帰宅）／不在（外出）、宅内の中のどの部屋にいるか等、ユーザの居場所（在宅位置）に関する情報である。設定情報は、通信中継装置の動作状態を設定する情報であり、受信したデータの振り分け先を設定する情報、受信したデータの通過の可否を設定する情報を含む。
【００１５】
（実施の形態１）
図１は、本発明の実施の形態１に係るゲートウェイ装置の構成の一例を示すブロック図である。図１に示すゲートウェイ装置１００は、インターフェース１１０ａ、１１０ｂ、設定情報データベース１２０、装置制御部１３０、設定情報格納部１４０、ルーティング処理部１５０、クラシファイア（分類器）１６０ａ、１６０ｂ、パケットキュー１７０ａ、１７０ｂ、１７０ｃ、１７０ｄ、１７０ｅ、１７０ｆ、並びに、パケット読み出し部１８０ａ、１８０ｂを備える。
【００１６】
インターフェース１１０ａ、１１０ｂは、ネットワークインターフェースである。インターフェースの種類は特に問わないが、Ｅｔｈｅｒｎｅｔ（登録商標）、ＩＥＥＥ１３９４など様々なインターフェースが想定できる。
【００１７】
設定情報データベース１２０は、エリア情報とそれに対応する設定情報を保持するデータベースである。エリア情報は、ユーザの所在を特定する位置情報（ユーザの状態）と対応し、ユーザの位置情報は、一つのエリア情報へ対応づけられる（変換できる）。設定情報データベース１２０の構成は、図３を用いて後述する。
【００１８】
装置制御部１３０は、所在情報（ここでは、エリア情報を一例として用いる）をもとに設定情報データベース１２０から対応する設定情報を取得し、取得した設定情報を設定情報格納部１４０へ格納する。
【００１９】
設定情報格納部１４０は、ゲートウェイ装置１００の現在の設定情報を格納する。設定情報格納部１４０の構成は、図４を用いて後述する。
【００２０】
ルーティング処理部１５０は、インターフェース１１０ａ、１１０ｂが受信したパケットの宛先ＩＰ（Internet Protocol）アドレスとポート番号を見て、パケットを適宜変更してルーティングする（振り分ける）か、もしくは設定情報格納部１４０に保持されているパケットフィルタリング設定に基づきパケットを廃棄（フィルタリング）する。もしパケットがゲートウェイ装置１００宛てならば、パケットを装置制御部１３０に渡す。
【００２１】
クラシファイア１６０ａ、１６０ｂとパケットキュー１７０ａ、１７０ｂ、１７０ｃ、１７０ｄ、１７０ｅ、１７０ｆとパケット読み出し部１８０ａ、１８０ｂは、ＱｏＳ機能を実現するブロックである。
【００２２】
ルーティング部１５０でルーティングされたパケットは、クラシファイア１６０ａもしくは１６０ｂに渡される。クラシファイア１６０ａ、１６０ｂは、設定情報格納部１４０に保持されているＱｏＳ設定に基づき、優先度が異なるパケットキュー１７０ａ、１７０ｂ、１７０ｃもしくはパケットキュー１７０ｄ、１７０ｅ、１７０ｆのいずれかに送る。
【００２３】
パケットキュー１７０ａ、１７０ｂ、１７０ｃもしくはパケットキュー１７０ｄ、１７０ｅ、１７０ｆは、パケットの読み出しがあるまで送られたパケットを保持する。パケット読み出し部１８０ａ、１８０ｂは、パケットキュー１７０ａ、１７０ｂ、１７０ｃもしくはパケットキュー１７０ｄ、１７０ｅ、１７０ｆからユーザが予め設定した優先度の比率（例えば３：２：１など）に基づきパケットを読み出し、インターフェース１１０ａもしくはインターフェース１１０ｂに渡す。このようにして、ゲートウェイ装置１００が受信したパケットは、外部へ送信される。
【００２４】
なお、図１には示していないが、ゲートウェイ装置１００の各機能の動作は、ＣＰＵ（Central Processing Unit）によって、制御されている。
【００２５】
次に、ゲートウェイ装置１００とネットワークとの関係を説明する。図２は、本実施の形態に係るゲートウェイ装置１００を配置したネットワーク環境の一例を示す図である。ユーザが自宅、会社などの所定のエリアの間を出入りするとゲートウェイ装置の設定を自動的に変更する様子を示す。
【００２６】
図２において、ゲートウェイ装置１００は、宅内ネットワーク３１、インターネット３２と接続し、さらに、インターネット３２と携帯−インターネット間ゲートウェイ４０とを介して携帯電話ネットワーク３３と接続する例を示している。また、携帯電話２０ａは、ＧＰＳ（Global Positioning System）機能を持ち、携帯電話ネットワーク３３、インターネット３２を介してゲートウェイ装置１００と通信する。携帯−インターネット間ゲートウェイ４０は、インターネット３２と携帯電話ネットワーク３３とを中継する。基地局５０ａ、５０ｂは、携帯電話の通信を中継する。図２では、基地局５０ａは自宅付近（自宅エリア）にある基地局、基地局５ｂは会社付近（会社エリア）にある基地局とする。ＧＰＳ衛星６０ａ、６０ｂ、６０ｃは、位置情報を提供し、メールサーバ７０は、ゲートウェイ装置１００を含む通信機へのメールを取り扱う。
【００２７】
次に、携帯電話２０ａの構成について説明する。図３は、本実施の形態の携帯電話２０ａの位置情報送信機能の構成の一例を示すブロック図である。図３では、位置情報取得部２１、エリア定義記憶部２２、エリア情報格納部２３、判断部２４、メール作成部２５、通信部２６の構成要素がエリア情報をゲートウェイ装置１００に送信する場合に用いる。なお、図３では、エリア情報を送信する機能の構成要素を示した図であり、他の機能、例えば通話等の機能については省略している。
【００２８】
位置情報取得部２１は、ＧＰＳ衛星６０ａ、６０ｂ、６０ｃからの電波を受信し、ユーザの所在を示す位置情報を３点測量によって取得する。位置情報は、例えば、緯度、経度の情報である。
【００２９】
エリア定義記憶部２２は、エリア情報と位置情報との対応づけるエリア定義を記憶する記憶領域である。位置情報は、一つのエリア情報へ対応づけられる。本実施の形態では、エリア情報として、自宅エリアについては「ＨＯＭＥ」、会社エリアについては「ＯＦＦＩＣＥ」、それ以外のエリアについては「ＤＥＦＡＵＬＴ」の三種類を定義し、それぞれのエリアに属する位置情報を対応づけて記憶する。
【００３０】
エリア情報格納部２３は、前回のエリア情報を格納する。エリア情報に変化があった場合に更新される。エリア情報格納部２３は、エリア情報のみを格納してもよいし、位置情報、あるいは、エリア情報と位置情報との両方を格納する場合であってもよい。
【００３１】
判断部２４は、位置情報と、エリア定義、現在のエリア情報とから、ユーザの所在するエリアが変化したか否かを判断し、エリアが変化した場合、ゲートウェイ装置１００へエリアが変化したことを通知する電子メール（Ｅメール、メールともいう）を作成する指示をメール作成部２５へ出す。
【００３２】
メール作成部２５は、エリア情報が変化したことを通知する電子メールを作成する。通信部２６は、通信を司り、データを送受信する。タイマ２７は、所定の期間を計測して位置情報取得部２１へ、位置情報の取得を促す。
【００３３】
なお、図３には示していないが、携帯電話２０ａの各機能の動作は、ＣＰＵ（Central Processing Unit）によって、制御されている。
【００３４】
エリア定義記憶部２２は、ユーザによって、予めエリア情報を含むエリア定義が登録されている。エリア情報並びにエリア定義の登録方法としては、例えばユーザが在宅しているときに携帯電話２０ａにインストールされたエリア登録用Ｊａｖａ（登録商標）アプリケーションを用いることが可能である。Ｊａｖａ（登録商標）アプリケーションは、携帯電話２０ａのＧＰＳ機能を利用して現在位置を取得し、取得した現在位置から半径２０メートル以内を自宅エリアとして携帯電話２０ａに登録するというような設定方法が一例としてある。
【００３５】
次に設定情報データベース１２０および設定情報格納部１４０について図４、図５を用いて詳しく説明する。図４は、本実施の形態における設定情報データベース１２０のデータ構造図の一例であり、図５は、本実施の形態における設定情報格納部１４０のデータ構造図の一例である。
【００３６】
設定情報データベース１２０は、エリア情報に対応する設定パターンを保持し、予めユーザによって設定される。ユーザは、利用開始時に、エリア情報と、エリア情報それぞれに対応する設定パターンをゲートウェイ装置１００が備える設定情報データベース１２０に設定する。設定方法としては、例えばＷｅｂコンソールを使用して設定する。
【００３７】
なお、設定情報データベース１２０に保持するエリア情報は、ユーザが携帯電話２０ａに設定したものと同様のルールに従って簡単なテキスト形式で表現されることを前提とする。例えば自宅エリアについては「ＨＯＭＥ」、会社エリアについては「ＯＦＦＩＣＥ」、それ以外のエリアについては「ＤＥＦＡＵＬＴ」とすることが想定できる。設定情報データベース１２０からエリア情報に対応する設定情報を取得する場合は、エリア情報のテキスト情報をキーにして設定情報データベース１２０を検索し、対応する設定パターンを取得する。
【００３８】
設定パターンとしては、例えばユーザが自宅エリアにいる場合にはインターネット３２から宅内ネットワーク３１へのアクセスを全て拒否するようなフィルタリング設定パターン、ユーザが会社エリアにいる場合には会社から宅内ネットワーク３１へのアクセスのみ許可するようなフィルタリング設定パターン、などが想定できる。図４に示した設定パターンは、一例を示したものであり、これらの項目に限られることはない。
【００３９】
設定情報格納部１４０は、ゲートウェイ装置１００における現在の動作状態の設定の状態を格納（保持）する。例えば、設定情報格納部１４０は、パケットフィルタリング設定情報、ＱｏＳ設定情報などゲートウェイ装置１００の設定情報を保持する。なお、図１４には示していないが、設定情報としては上記以外にもＮＡＴ（Network Address Translation）の設定など様々な設定情報が考えられる。
【００４０】
設定情報データベース１２０から取得した設定パターンを設定情報格納部に保存する方法としては、設定情報を全て上書きするか、もしくは設定情報の一部を変更しても良い。例えばエリア情報「ＨＯＭＥ」に対応する設定パターンのように設定に関する全ての情報がある場合は全ての設定を上書きし、エリア情報「ＯＦＦＩＣＥ」に対応する設定パターンのように設定の一部の情報がある場合は設定の一部だけを変更する。
【００４１】
次いで、本実施の形態のゲートウェイ装置１００並びに携帯電話２０ａの動作を説明する。まず、携帯電話２０ａの動作について図６を用いて説明する。図６は、本実施の形態に係る携帯電話２０ａの動作の一例を示すフロー図である。
【００４２】
携帯電話２０ａの位置情報取得部２１は、ＧＰＳ機能を使用して一定間隔ごとに位置情報を取得する（Ｓ１１）。判断部２４は、取得した位置情報をエリア定義記憶部２２に記憶するエリア定義を用いて、位置情報に対応するエリア情報（現在のエリア情報）を取得する（Ｓ１２）。次に、エリア情報格納部２３に格納した前回のエリア情報（位置情報）を読み出し（Ｓ１３）、現在のエリア情報と比較して、ユーザが存在するエリアに変化があったか（出入りがあったか）を判断する（Ｓ１４）。登録されたエリアへの出入りがあった場合、メール作成部２５は、現在のエリア情報を通知する電子メールを作成し（Ｓ１５）、通信部２６を介して、作成した電子メールをメールサーバ７０に送信する（Ｓ１６）。電子メールには、現在のエリア情報が含まれる。タイマ２７によってタイマ終了イベント待ちで一定時間ウェイトしたあと（Ｓ１７）、位置情報を取得するステップに戻り同様の処理を繰り返す。登録されたエリアへの出入りが無かった場合はエリア情報を送信せずに、タイマ２７によってタイマ終了イベント待ちで一定時間ウェイトしたあと（Ｓ１７）、位置情報を取得するステップに戻り同様の処理を繰り返す。
【００４３】
このようにして、携帯電話２０ａは、ユーザが存在するエリアの変化を検出し、検出した結果をゲートウェイ装置１００へ送信する。この際、ユーザは、何の意識もする必要なく、携帯電話２０ａが自動的に検出したエリア情報を送信する。
【００４４】
携帯電話２０ａが電子メールで送信するエリア情報は、予めユーザが携帯電話２０ａに設定したルールに従って簡単なテキスト形式で表現される。例えばユーザが自宅エリアにいる場合には「ＨＯＭＥ」、ユーザが会社エリアにいる場合には「ＯＦＦＩＣＥ」、ユーザが登録されたエリア以外にいる場合には「ＤＥＦＡＵＬＴ」というテキスト情報が想定できる。
【００４５】
次に、エリア情報の変化よって発生するゲートウェイ装置１００の動作について説明する。
【００４６】
携帯電話２０ａからメールサーバ７０への電子メール送信は、基地局５０ａもしくは５０ｂ、携帯電話ネットワーク３３、携帯−インターネット間ゲートウェイ４０、インターネット３２を介して行われる。ゲートウェイ装置１００は、メールサーバ７０に対して定期的に電子メールの問い合わせを行い、携帯電話２０ａからの新着電子メールが無いかチェックする。新着電子メールがある場合はそれを受信し、その中からエリア情報を取得し、取得したエリア情報をもとにゲートウェイ装置１００の設定を変更することになる。
【００４７】
次に、装置制御部１３０の動作について図７、図８を用いて説明する。図７は、本実施の形態における、装置制御部１３０の動作の一例を示すフロー図である。また、図８は、本実施の形態における、装置制御部１３０と設定情報データベース１２０と設定情報格納部１４０との関係を示す図であり、図８（Ａ）は、ゲートウェイ装置１００（装置制御部１３０）がエリア情報を受信する場合の構成の一例を示す図であり、図８（Ｂ）は、ゲートウェイ装置１００（装置制御部１３０）が位置情報を受信する場合の構成の一例を示す図である。図８（Ｂ）については後述する。
【００４８】
装置制御部１３０の入力部１３１はメールサーバ７０に対して一定間隔で電子メールの問い合わせを行う（Ｓ２１）。メールサーバ７０に新着電子メールが存在する場合、入力部１３１は、電子メールを受信し、解析部１３２は、電子メールに含まれるエリア情報を取得する（Ｓ２２）。編集部１３３は、取得したエリア情報をもとに設定情報データベース１２０から設定情報を取得し（Ｓ２３）、取得した設定情報を設定情報格納部１４０に保存する（Ｓ２４）。タイマ１３４によってタイマ終了イベント待ちで一定時間ウェイトしたあと（Ｓ２５）、新着電子メール問い合わせステップに戻り同様の処理を繰り返す。メールサーバ７０に新着電子メールが存在しない場合はタイマ終了イベント待ちで一定時間ウェイトしたあと（Ｓ２５）、再び新着電子メール問い合わせステップに戻り同様の処理を繰り返す。
【００４９】
図９は、本実施の形態に係るゲートウェイ装置１００が受信するデータの一例を示す図である。図９（Ａ）は、装置制御部１３０宛てのデータの一例である。ルーティング処理部１５０は、ヘッダ部のＩＰアドレスによってデータがゲートウェイ装置１００を宛先とすることを判断する。図９（Ａ）のデータのデータ部はエリア情報を含む。図９（Ｂ）は、ゲートウェイ装置１００以外を宛先とするデータの一例である。ルーティング処理部１５０は、図９（Ｂ）のデータのヘッダ部のＩＰアドレスとポート番号を参照することにより、破棄するか否かを判断する。
【００５０】
以上に説明したように、本実施の形態ではユーザがいるエリアに対応してゲートウェイ装置１００の設定を変更することができる。例えばユーザが会社にいるときのみ、会社からユーザ宅内機器へのアクセスを許可するというような設定が可能となり、宅内機器・宅内ネットワークのセキュリティレベル向上などの効果が期待できる。
【００５１】
なお、本実施の形態では、ゲートウェイ装置１００は、携帯電話２０ａから送信される電子メールによってエリアの変化を把握したが、エリア情報を通知する媒体は、電子メールに限られることはない。電子メールではなく、ＨＴＴＰ(Hyper Text Transfer Protocol)などを用いてもよい。
【００５２】
本実施の形態では、携帯電話２０ａは、エリア情報をゲートウェイ装置１００へ通知する例を説明したが、位置情報を通知する場合であってもよい。位置情報を通知する場合、装置制御部１３０は、図３に示した、エリア定義記憶部２２並びにエリア情報格納部２３と同様の情報を保持する必要がある。図８（Ｂ）に、ゲートウェイ装置１００が位置情報を受信する場合の装置制御部１３０ｂと設定情報データベース１２０と設定情報格納部１４０との関係の一例を示している。エリア定義記憶部１３５、エリア情報格納部１３６は、それぞれ図３に示したエリア定義記憶部２２、エリア情報格納部２３と同様である。また、解析部１３２ｂは、エリアが変化したか否かの動作が追加されるため、図８（Ａ）とは異なっている。
【００５３】
解析部１３２ｂは、通知された位置情報と、エリア定義記憶部１３５に記憶したエリア定義と、エリア情報格納部１３６に格納したエリア情報とを参照することにより、エリアが変化したか否かを判断する。判断する手順は、図６の動作（Ｓ１１〜Ｓ１４）と同様である。エリアが変化したと判断した場合、エリア情報格納部１３６のエリア情報を更新し、編集部１３３へエリア情報を通知する。編集部１３３の動作は、図８（Ａ）の構成の場合と同様である。このようにして、エリア情報に換えて位置情報を用いて、設定情報を自動的に変更することが可能となる。また、図８（Ｂ）に示す装置制御部１３０ｂを備えるゲートウェイ装置の場合、携帯電話２０ａは、位置情報を任意の間隔で（定期的に）送信すればよいことになり、携帯電話側の機能を削減することが可能となる。
【００５４】
また、本実施の形態では、ＧＰＳから位置情報を取得する例を説明したが、無線通信の基地局から位置情報を取得する方法であってもよい。その他、ユーザの所在を特定する情報を取得できる方法であれば代用できる。その際、位置情報の精度により、エリアの区分け、あるいは、位置情報とエリア情報との対応を定義するエリア定義の情報を変更することにより、ユーザの状況に適応した制御（設定情報の変更）が可能となる。
【００５５】
また、本実施の形態では、携帯電話をユーザが保持する機器として説明したが、携帯電話に限ることない。位置情報が取得でき、通信可能な機器であればよい。また、有線で接続されている端末から、エリア情報を通知する電子メール等を送信するようにしてもよい。
【００５６】
このように、通信中継装置の設定をユーザの位置に応じて動的に変更するため、適切な設定で通信中継装置を稼動させることができる。これにより宅内機器・宅内ネットワークのセキュリティレベル向上、ユーザが求める通信品質の確保などの効果が期待できる。また、ユーザの位置情報を検出する装置としてはセンサなど既存の装置を使用できるため、コストアップすることなく通信中継装置に上記の機能を付加することができる。
【００５７】
以上のように、本実施の形態では、装置の動作状態を設定する設定情報を格納する設定情報格納手段と、ユーザの所在を示す所在情報を受信し、受信した所在情報に基づいて、前記設定情報を書き換える装置制御手段と、を備える通信中継装置について説明した。さらに、前記設定情報は、受信したデータの振り分け先を設定する設定情報を含む。さらに、前記設定情報は、受信したデータの通過の可否を設定する設定情報を含む。また、前記通信中継装置は、異なる複数の設定情報を記憶する設定情報データベースを、更に備え、前記装置制御手段は、前記所在情報を用いて、前記複数の設定情報から一つの設定情報を選択し、選択した設定情報を前記設定情報格納手段へ書き込む。さらに、前記設定情報データベースは、所在情報と対応づけて前記複数の設定情報を格納し、前記装置制御手段は、過去の所在情報を保持し、前記受信した所在情報が前記過去の所在情報から変化したことを検出し、前記受信した所在情報に対応づけられる設定情報を前記設定情報格納手段へ書き込む。
【００５８】
また、前記通信中継装置へ所在情報（例えば、エリア情報）を通知する通信端末は、位置情報を取得する位置情報取得手段と、複数のエリアを特定するエリア情報と、位置情報とを対応づけるエリア定義を記憶するエリア定義記憶手段と、過去のエリア情報を格納するエリア情報格納手段と、前記エリア定義を用いて、取得した位置情報をエリア情報と対応づけて現在のエリア情報とし、現在のエリア情報が前記過去のエリア情報と異なることを検出する判断手段と、前記現在のエリア情報によって動作状態を変更する通信中継装置へ前記現在のエリア情報を送信する送信手段を備える。
【００５９】
（実施の形態２）
図１０は、本発明の実施の形態２に係るゲートウェイ装置を備えるネットワーク環境の一例を示す図である。実施の形態１では、ユーザが一人の場合を想定して説明したが、実施の形態２では、ユーザが複数（ここでは、二人）の場合を説明する。複数のユーザが一つのゲートウェイ装置を共有する場合において、各ユーザの現在位置を考慮し、それに応じてゲートウェイ装置の設定を自動的に変更する。
【００６０】
図１０において、図２と同じ符号のものは、同じ名称、同様の機能であるため、説明を省略する。携帯電話２０ａ、２０ｂは、ＧＰＳ機能を持ち、携帯電話２０ａは、ユーザａが保持し、携帯電話２０ｂは、ユーザｂが保持する。携帯電話の基地局５０ａ、５０ｂは、携帯電話ネットワーク３３と接続する。ここでは、基地局５０ａは自宅付近（自宅エリア）、基地局５０ｂは会社付近（会社エリア）にある例である。ゲートウェイ装置２００は、自宅エリアに配置される。
【００６１】
次に、ネットワーク環境での動作について説明する。まずユーザは、エリア情報とそれに対応する設定パターンをゲートウェイ装置２００に設定する。ここでエリア情報は複数のユーザのエリア情報について設定する必要がある。設定方法については実施の形態１と同様の方法が想定できるので省略する。設定内容の詳細については後述する設定情報データベースの説明において述べる。
【００６２】
次にユーザはエリア情報を携帯電話２０ａ、２０ｂに登録する。なおエリアの登録方法については実施の形態１と同様の方法が想定できるので説明を省略する。また、携帯電話２０ａ、２０ｂの動作についても実施の形態１と同様なので説明を省略する。
【００６３】
ゲートウェイ装置２００は、メールサーバ７０に対して定期的に電子メールの問い合わせを行い、携帯電話２０ａ、２０ｂからの新着電子メールが無いかチェックする。新着電子メールがある場合はそれを受信し、その中からエリア情報を取得する。取得したエリア情報と、既に保持してある他のユーザのエリア情報をもとにゲートウェイ装置２００の設定を変更する。
【００６４】
次にゲートウェイ装置２００の機能について詳しく説明する。図１１は、本実施の形態におけるゲートウェイ装置２００の構成の一例を示すブロック図である。なお、図１と同じ符号のものは、同じ名称、同様の機能を有するため、説明を省略する。
【００６５】
図１１において、ゲートウェイ装置２００は、図１に示すゲートウェイ装置１００へエリア情報データベース２９０が追加されている。また、設定情報データベース２２０、装置制御部２３０については機能が追加されている。
【００６６】
設定情報データベース２２０は、ユーザが予め設定したエリア情報とそれに対応する設定情報を保持するデータベースであり、複数のユーザのエリア情報とエリア情報に対応する設定情報を保持する。
【００６７】
エリア情報データベース２９０は複数のユーザのエリア情報を保持するデータベースである。
【００６８】
装置制御部２３０は、複数のユーザのうち、どのユーザのエリア情報が変更になるかによって動作が異なっている。詳細な動作については、図１４を用いて後述する。
【００６９】
ここで、設定情報データベース２２０およびエリア情報データベース２９０について詳しく説明する。図１２は、本実施の形態におけるエリア情報データベース２９０のデータ構造の一例を示す図である。図１３は、本実施の形態における設定情報データベース２２０のデータ構造の一例を示す図である。なお、設定情報格納部１４０は、図５と同様のデータ構造のため、説明を省略する。
【００７０】
エリア情報データベース２９０は各ユーザのエリア情報を保持する。装置制御部２３０はエリア情報を取得すると、送信元アドレスなどによってどのユーザの情報か判断し、エリア情報データベース２９０の該当するユーザのエリア情報のみを上書きする。
【００７１】
設定情報データベース２２０はゲートウェイの設定を変更するエリア（自宅・会社など）の情報と、それに対応した設定パターンを保持する。これらの情報は予めユーザが設定する。
【００７２】
ここでエリア情報には複数のユーザのエリア情報を設定する必要がある。例えばユーザａが自宅エリア、ユーザｂが会社エリアにいる場合の設定パターンなどを設定する。エリア情報はユーザが携帯電話２０ａ、２０ｂに設定したものと同様のルールに従って簡単なテキスト形式で表現され、複数ユーザの情報を保持する。例えばユーザａが自宅、ユーザｂが会社にいる場合は、ユーザａは「ＨＯＭＥ」、ユーザｂは「ＯＦＦＩＣＥ」という情報を保持する。
【００７３】
設定パターンとしては、例えばユーザａが自宅、ユーザｂが会社にいる場合は会社から宅内のユーザｂ専用ＰＣに対するアクセスのみを許可し、そのパケットのＱｏＳ優先度を高く設定する設定パターン、ユーザａが自宅でも会社でもないエリア、ユーザｂが自宅にいる場合はインターネット３２から宅内のユーザａ専用ＰＣに対するアクセスのみを許可し、そのパケットのＱｏＳ優先度を高くする設定パターン、ユーザａが自宅でも会社でもないエリアにいてユーザｂが会社にいる場合はインターネット３２から宅内のユーザａ専用ＰＣに対するアクセスおよび会社から宅内のユーザｂ専用ＰＣに対するアクセスを許可し、会社からユーザｂ専用ＰＣへのパケットの優先度のみ高くする設定パターン、などが想定できる。
【００７４】
設定情報データベース２２０からエリア情報に対応する設定情報を取得する方法としては、エリア情報データベース２９０のテキスト情報をキーにして設定情報データベース２２０を検索し、対応する設定パターンを取得することが想定できる。
【００７５】
次に装置制御部２３０の動作について図１４を用いて説明する。図１４は、本実施の形態における装置制御部２３０の動作の一例を示すフロー図である。なお、装置制御部２３０の構成は、図８（Ａ）に示すものと同様である場合を一例として説明する。
【００７６】
装置制御部２３０はメールサーバ７０に対して一定間隔で電子メールの問い合わせを行い（Ｓ３１）、メールサーバ７０に新着電子メールが存在する場合は電子メールを受信し、その中のエリア情報を取得する（Ｓ３２）。送信元からどちらのユーザから送信された情報かを把握する。なお、ユーザを判断する方法としては、メールの本文にユーザ名を記述するなど、様々な方法が考えられる。取得したエリア情報をエリア情報データベース２９０に反映し（Ｓ３３）、エリア情報データベース２９０の情報をもとに設定情報データベース２２０から設定情報を取得し（Ｓ３４）、取得した設定情報を設定情報格納部１４０に保存し（Ｓ３５）、タイマ終了イベント待ちで一定時間ウェイトしたあと（Ｓ３６）新着電子メール問い合わせに戻り同様の処理を繰り返す。メールサーバ７０に新着電子メールが存在しない場合、タイマ終了イベント待ちで一定時間ウェイトしたあと（Ｓ３６）再び新着電子メール問い合わせに戻り同様の処理を繰り返す。
【００７７】
なお、本実施の形態の場合も、装置制御部１３０ｂは、図８（Ｂ）の構成を採ることも可能であり、この場合、携帯電話は、位置情報を送信することになる。したがって、携帯電話の機能を簡易にすることができる。
【００７８】
このように、本実施の形態では複数のユーザの現在位置に応じてゲートウェイ装置の設定を変更することにより、家族など複数人で一つのゲートウェイ装置を使用する場合でも、それぞれのユーザの現在位置に応じてゲートウェイ装置の設定を自動的に変更することが可能となる。特にＱｏＳ優先度の設定を変更することにより、複数ユーザでネットワークリソースを有効的に分配することができる。
【００７９】
以上のように、本実施の形態では、実施の形態１の通信中継装置に加え、複数のユーザの所在を格納する所在情報データベース（エリア情報データベース）を、更に備え、前記設定情報データベースは、複数のユーザそれぞれの所在情報の組み合わせと対応づけて前記複数の設定情報を格納し、前記装置制御手段は、前記所在情報と前記所在情報を通知したユーザ情報とを受信し、前記所在情報、前記ユーザ情報及び前記所在情報の組み合わせから、前記複数の設定情報から一つの設定情報を選択し、選択した設定情報を前記設定情報格納手段へ書き込む通信中継装置について説明した。
【００８０】
（実施の形態３）
図１５は、本発明の実施の形態３におけるネットワーク構成の一例を示す図である。実施の形態３では、宅内においてユーザがいる部屋（在室位置）に応じてゲートウェイ装置の設定を自動的に変更する例について説明する。
【００８１】
図１５において、複数の居室があり、ゲートウェイ装置２５０は、その一つの居室へ配置され、センサ２６０ａ、２６０ｂは、それぞれの居室に配置され、テレビ２７０は、動画配信サービスを受けるＳＴＢ（Set Top Box）一体型のテレビであり、ユーザ２８０は、いずれかの居室にいる。ゲートウェイ装置２５０を通じて宅外のインターネット３２に接続されており、さらに動画配信サーバが配置されている。
【００８２】
ここでゲートウェイ装置２５０とセンサ２６０ａ、２６０ｂとテレビ２７０は宅内ネットワークを介して接続されている。ネットワークの種類は問わないが、Ｅｔｈｅｒｎｅｔ（登録商標）や無線ＬＡＮ（Local Area Network）など様々なネットワークが想定できる。
【００８３】
なお、ゲートウェイ装置２５０の機能ブロックについては図１と同様のため説明を省略する。また、設定情報格納部１４０については図５と同様のデータ構造なので説明を省略する。以下の説明では、図１および後述する図１７の構成を用いて説明する。
【００８４】
次に、図１５に示すネットワーク環境における動作について説明する。まずユーザ２８０は在室位置に対応する設定パターンをゲートウェイ装置２５０に設定する。設定方法については実施の形態１と同様の方法が想定できるので省略する。設定内容の詳細については後述する設定情報データベース１２０ｃの説明において述べる。
【００８５】
センサ２６０ａ、２６０ｂはユーザが入室したことを検出するセンサである。センサの種類は問わないが温度センサや赤外線センサなど様々なセンサが想定できる。
【００８６】
ここでセンサ２６０ａ、２６０ｂの動作について図１６を用いて説明する。図１６は、本実施の形態におけるセンサ２６０ａ、２６０ｂの動作の一例を示すフロー図である。
【００８７】
センサ２６０ａ、２６０ｂはユーザが入室したことを検出するイベントを待ち（Ｓ４１）、ユーザが入室したことを検出すると在室位置をゲートウェイ装置２５０に送信し（Ｓ４２）、再び入室イベント待ち状態に戻り同様の処理を繰り返す。
【００８８】
ここでセンサ２６０ａ、２６０ｂが送信する在室位置は、予めユーザが設定したルールに従って簡単なテキスト形式で表現される。例えば台所に設置されたセンサが入室を検出した場合は「ＫＩＴＣＨＥＮ」、居間に設置されたセンサが入室を検出した場合「ＬＩＶＩＮＧ」というテキスト情報で表現することが想定できる。
【００８９】
センサ２６０ａ、２６０ｂとゲートウェイ装置２５０の間でやりとりするプロトコルの種類は問わないがＨＴＴＰ（HyperText Transfer Protocol）などが想定できる。
【００９０】
ここで、図１５に戻り本実施の形態の動作について説明を続ける。ゲートウェイ装置２５０はセンサ２６０ａ、２６０ｂのいずれかから送信された在室位置を受信すると、受信した在室位置をもとにゲートウェイ装置２５０の設定を変更する。
【００９１】
次に本発明の実施の形態３における設定情報データベース１２０ｃについて図１７を用いて詳しく説明する。図１７は本実施の形態における設定情報データベース１２０ｃのデータ構造の一例を示す図である。
【００９２】
図１７に示す設定情報データベース１２０ｃは在室位置対応した設定パターンを保持する。ここで在室位置は、予めユーザが設定したルールに従って簡単なテキスト形式で表現される。例えばユーザが居間にいる場合は「ＬＩＶＩＮＧ」、台所にいる場合は「ＫＩＴＣＨＥＮ」と表現することが想定できる。設定パターンとしては、例えばユーザが居間にいる場合には居間のテレビへのパケットのＱｏＳ優先度を高くする設定パターンなどが想定できる。
【００９３】
装置制御部１３０は受信した在室位置のテキスト情報をキーにして設定情報データベース１２０ｃを検索し、対応する設定パターンを取得する。
【００９４】
次に、本実施の形態における装置制御部１３０の動作について図１８を用いて説明する。図１８は、本実施の形態における装置制御部１３０の動作の一例を示すフロー図である。
【００９５】
実施の形態３における装置制御部１３０は、センサ２６０ａ、２６０ｂから送信された在室位置を受信するイベントを待ち（Ｓ５１）、在室位置を受信するとそれをもとに設定情報データベース１２０ｃから設定情報を取得し（Ｓ５２）、取得した設定情報を設定情報格納部１４０に保存し（Ｓ５３）、再び在室位置の受信イベント待ち状態に戻り同様の処理を繰り返す。
【００９６】
以上に説明したように、本発明の実施の形態３ではユーザの在室位置に対応してゲートウェイ装置の設定を変更することができる。例えばユーザが在室している部屋へのパケットのＱｏＳ優先度を高くすることによって、ネットワークリソースを効率的に使用できるというような効果が期待できる。
【００９７】
（実施の形態４）
次に本発明の実施の形態４について図１９を用いて説明する。図１９は本発明の実施の形態４におけるネットワーク構成の一例を示す図である。ゲートウェイ装置自身が備えるセンサによってユーザの帰宅、外出を検出し、ユーザの在宅／不在状態に応じてゲートウェイ装置の設定を変更する。
【００９８】
図１９において、ゲートウェイ装置３００と、宅内ネットワーク３１、インターネット３２とから構成される例を示している。
【００９９】
ゲートウェイ装置３００はユーザ宅の玄関付近に設置され、ユーザの帰宅、外出を検出するセンサを備える。センサの種類としては、例えば赤外線センサなどが想定できる。
【０１００】
まずユーザは在宅／不在状態に対応する設定パターンをゲートウェイ装置３００に設定する。設定方法については実施の形態１と同様の方法が想定できるので省略する。設定内容の詳細については後述する設定情報データベースの説明において述べる。
【０１０１】
ゲートウェイ装置３００は、センサによってユーザの在宅／不在状態を取得し、取得した在宅／不在状態をもとにゲートウェイ装置３００の設定を変更する。
【０１０２】
次にゲートウェイ装置３００の機能について図２０を用いて詳しく説明する。図２０は、本実施の形態に係るゲートウェイ装置３００の構成の一例を示すブロック図である。なお、図１と同じ符号を付けたものは、同じ名称、同様の機能を有するため、説明を省略する。
【０１０３】
図２０において、ゲートウェイ装置３００は、図１のゲートウェイ装置１００にセンサ３９０が追加され、設定情報データベース３２０、装置制御部３３０の機能が変更されている。
【０１０４】
設定情報データベース３２０は在宅／不在状態とそれに対応する設定情報を保持するデータベースである。
【０１０５】
装置制御部３３０はユーザの在宅／不在状態をもとに、設定情報データベース３２０から対応する設定情報を取得し、設定情報格納部１４０に保存する。
【０１０６】
センサ３９０は、赤外線センサ等を用いて、人物等の動きを感知する装置であり、ユーザが帰宅、外出したことを検出し、検出した場合はユーザの在宅／不在状態を装置制御部３３０に渡す機能を有する。ここでは、赤外線センサを用いる例を示すが、他のセンサであってもよい。また、センサ３９０は、人物、ペットなどの動物等の物体の動きを検出する装置であればよい。センサ３９０は、二つの検知部３９１ａ、３９１ｂを有し、二つの感知部分によって、ユーザ等の動きを検出する。
【０１０７】
ここで、設定情報データベース３２０について図２１を用いて詳しく説明する。図２１は、本実施の形態における設定情報データベース３２０のデータ構造の一例を示す図である。なお設定情報格納部１４０のデータ構造については図５と同様であるため説明を省略する。
【０１０８】
設定情報データベース３２０は在宅／不在状態に対応する設定パターンを保持し、予めユーザによって設定される。ここで在宅／不在状態は、予めユーザが設定したルールに従って簡単なテキスト形式で表現される。例えば在宅状態については「ＩＮＳＩＤＥ」、不在状態については「ＯＵＴＳＩＤＥ」とすることが想定できる。
【０１０９】
設定パターンとしては、例えばユーザが在宅している場合にはインターネット３２から宅内ネットワーク３１へのアクセスを許可しないようなパケットフィルタリング設定パターン、ユーザが不在の場合にはインターネット３２から宅内ネットワーク３１へのアクセスを許可するようなパケットフィルタリング設定パターンなどが想定できる。
【０１１０】
設定情報データベース３２０からエリア情報に対応する設定情報を取得する方法としては、エリア情報のテキスト情報をキーにして設定情報データベース３２０を検索し、対応する設定パターンを取得することが想定できる。
【０１１１】
次に、本実施の形態におけるゲートウェイ装置３００の動作を説明する。まず、センサ３９０の動作について図２２を用いて説明する。図２２は、本実施の形態におけるセンサ３９０の動作の一例を示すフロー図である。
【０１１２】
センサ３９０は、検知部３９１ａ、３９１ｂのどちらかが物体を検出するイベントを待ち（Ｓ６１）、検知部３９１ａが物体を検出した場合（Ｓ６２でＹＥＳ）、一定時間内（例えば５０ｍｓ程度）に検知部３９１ｂが物体を検出するのを待つ（Ｓ６４）。一定時間内に検出した場合、センサ３９０は、検知部３９１ａから検知部３９１ｂの方向へユーザが移動したと判定し、その方向により帰宅／外出を判断して、ゲートウェイ装置３００に在宅／不在状態を送信する（Ｓ６６）。一定時間内に検知部３９１ｂが物体を検出しなかった場合、センサ３９０は、タイムアウトと判断し、タイマ終了イベント待ちによって一定時間ウェイトしたあと（Ｓ６７）、再びＳ６１の物体検出イベント待ち状態となり同様の処理を繰り返す。
【０１１３】
また、検知部３９１ｂが物体を検出した場合（Ｓ６３でＹＥＳ）、一定時間内（例えば５０ｍｓ程度）に検知部３９１ａが物体を検出するのを待つ（Ｓ６５）。一定時間内に検出した場合、センサ３９０は、検知部３９１ｂから検知部３９１ａの方向へユーザが移動したと判定し、その方向により帰宅／外出を判断して、ゲートウェイ装置３００に在宅／不在状態を送信する（Ｓ６６）。以下、同様に、Ｓ６７をへてＳ６１の動作へと移行する。
【０１１４】
なお、帰宅／外出は、検知部３９１ａ、３９１ｂの設置場所（どちらが玄関に近いか等）により、決められ、センサ３９０は、検知部３９１ａ、３９１ｂ間の移動の方向と、予め帰宅／外出並びに在宅／不在の対応づけを記憶しておく。
【０１１５】
次に、装置制御部３３０の動作を説明する。図２３は、本実施の形態における装置制御部３２０の動作の一例を示すフロー図である。装置制御部３３０は、センサ３９０から送られる在宅／不在状態を受信するイベントを待ち（Ｓ７１）、在宅／不在状態を受信するとそれをもとに設定情報データベース３２０から設定情報を取得し（Ｓ７２）、取得した設定情報を設定情報格納部１４０に保存し（Ｓ７３）、再びユーザ在宅／不在状態受信イベント待ち状態となり同様の処理を繰り返す。
【０１１６】
以上に説明したように、本実施の形態ではユーザの在宅／不在状態に対応してゲートウェイ装置３００の設定を変更する。ゲートウェイ装置３００がユーザの在宅／不在状態を検出する機能を備えることによって、ユーザはゲートウェイ装置３００への設定だけで、設定情報格納部１４０の設定を切り替えることが可能となり、ユーザの設定にかかる負担が減少する。
【０１１７】
本実施の形態の通信中継装置によれば、ユーザの動きを取得する手段を通信中継装置（ゲートウェイ装置）に備えるため、例えばユーザ宅の玄関付近に設置し、ユーザが帰宅／外出したことを検出して、ユーザの在宅／不在状態を判断し、それに応じてゲートウェイ装置の設定を変更することが可能となり、簡単な構成でゲートウェイ装置の設定を自動的に変更できる。また、ユーザはゲートウェイ装置への設定をするだけで、ユーザの状態に応じた設定変更が可能となり、ユーザの設定にかかる負担が減少する。
【０１１８】
以上のように、本実施の形態では、実施の形態１の通信中継装置に加え、前記ユーザの所在位置を検知するセンサを、更に備え、前記装置制御手段は、前記センサが検知するユーザの所在位置を解析することによって、所在情報の変化を検出する通信中継装置について説明した。
【産業上の利用可能性】
【０１１９】
本発明にかかる通信中継装置（一例として、ゲートウェイ装置）は、ユーザの状態に応じて通信中継装置の設定を変更するため、通信中継装置を適切な設定で稼動させることが可能であり、セキュリティレベルの向上、所望の通信品質の確保、などの効果が得られる。したがって、特に家庭向けホームゲートウェイ装置の設定方法として有用である。
【図面の簡単な説明】
【０１２０】
【図１】本発明の実施の形態１に係るゲートウェイ装置の構成の一例を示すブロック図
【図２】実施の形態１に係るゲートウェイ装置を配置したネットワーク環境の一例を示す図
【図３】実施の形態１の携帯電話の位置情報送信機能の構成の一例を示すブロック図
【図４】実施の形態１における設定情報データベースのデータ構造図
【図５】実施の形態１における設定情報格納部のデータ構造図
【図６】実施の形態１における携帯電話の動作の一例を示すフロー図
【図７】実施の形態１における装置制御部の動作の一例を示すフロー図
【図８】実施の形態１における装置制御部と設定情報データベースと設定情報格納部との関係を示す図
【図９】実施の形態１におけるゲートウェイ装置が受信するデータの一例を示す図
【図１０】本発明の実施の形態２に係るゲートウェイ装置を備えるネットワーク環境の一例を示す図
【図１１】実施の形態２におけるゲートウェイ装置の構成の一例を示すブロック図
【図１２】実施の形態２におけるエリア情報データベースのデータ構造の一例を示す図
【図１３】実施の形態２における設定情報データベースのデータ構造の一例を示す図
【図１４】実施の形態２における装置制御部の動作の一例を示すフロー図
【図１５】本発明の実施の形態３におけるネットワーク構成の一例を示す図
【図１６】実施の形態３におけるセンサの動作の一例を示すフロー図
【図１７】実施の形態３における設定情報データベースのデータ構造の一例を示す図
【図１８】実施の形態３における装置制御部の動作の一例を示すフロー図
【図１９】本発明の実施の形態４におけるネットワーク構成の一例を示す図
【図２０】実施の形態４に係るゲートウェイ装置の構成の一例を示すブロック図
【図２１】実施の形態４における設定情報データベースのデータ構造の一例を示す図
【図２２】実施の形態４におけるセンサの動作の一例を示すフロー図
【図２３】実施の形態４における装置制御部の動作の一例を示すフロー図
【図２４】従来のＷｅｂコンソールを使用した設定情報を設定する設定方法におけるネットワーク構成の一例を示す図
【図２５】従来のフィルタリング設定情報をダウンロードする方法について示す図
【符号の説明】
【０１２１】
２０ａ、２０ｂ  携帯電話
２１  位置情報取得部
２２、１３５  エリア定義記憶部
２３、１３６  エリア情報格納部
２４  判断部
２５  メール作成部
２６  通信部
２７、１３４  タイマ
３１  宅内ネットワーク
３２  インターネット
３３  携帯電話ネットワーク
４０  携帯−インターネット間ゲートウェイ
５０ａ、５０ｂ  基地局
６０ａ、６０ｂ、６０ｃ  ＧＰＳ衛星
７０  メールサーバ
１００、２００、２５０、３００  ゲートウェイ装置
１１０ａ、１１０ｂ  インターフェース
１２０、２２０、３２０  設定情報データベース
１３０、１３０ｂ、２３０、３３０  装置制御部
１３１  入力部
１３２、１３２ｂ  解析部
１３３  編集部
１４０  設定情報格納部
１５０  ルーティング処理部
１６０ａ、１６０ｂ  クラシファイア（分類器）
１７０ａ、１７０ｂ、１７０ｃ、１７０ｄ、１７０ｅ、１７０ｆ  パケットキュー
１８０ａ、１８０ｂ  パケット読み出し部
２６０ａ、２６０ｂ、３９０  センサ
２９０  エリア情報データベース
３９１ａ、３９１ｂ  検知部
【図１】
2006050103.tif 000003
【図２】
2006050103.tif 000004
【図３】
2006050103.tif 000005
【図４】
2006050103.tif 000006
【図５】
2006050103.tif 000007
【図６】
2006050103.tif 000008
【図７】
2006050103.tif 000009
【図８】
2006050103.tif 000010
【図９】
2006050103.tif 000011
【図１０】
2006050103.tif 000012
【図１１】
2006050103.tif 000013
【図１２】
2006050103.tif 000014
【図１３】
2006050103.tif 000015
【図１４】
2006050103.tif 000016
【図１５】
2006050103.tif 000017
【図１６】
2006050103.tif 000018
【図１７】
2006050103.tif 000019
【図１８】
2006050103.tif 000020
【図１９】
2006050103.tif 000021
【図２０】
2006050103.tif 000022
【図２１】
2006050103.tif 000023
【図２２】
2006050103.tif 000024
【図２３】
2006050103.tif 000025
【図２４】
2006050103.tif 000026
【図２５】
2006050103.tif 000027